(57)【特許請求の範囲】
【請求項１】
リール本体に対してスプール軸とともに前後移動自在なスピニングリールのスプールであって、
前記スプール軸に設けられ、外周に釣り糸が巻かれる筒状の糸巻胴部と、
前記糸巻胴部の前端部に配置され、前記糸巻胴部の外周部から全周にわたって外方に突出した外周部を有するフランジ部とを備え、
前記糸巻胴部及び前記フランジ部は前記フランジ部の前記糸巻胴部からの高さが部分的に異なる部分を有しており、
前記フランジ部は、前記スプール軸に実質的に垂直な断面での形状が非円形に形成されており、
前記糸巻胴部は、前記フランジ部の高さが最も低い部分の高さ位置まで前記釣り糸が巻きつけられる、スピニングリールのスプール。
【請求項２】
前記糸巻胴部は、前記スプール軸に実質的に垂直な断面での形状が非円形に形成されている、請求項１に記載のスピニングリールのスプール。
【請求項３】
前記糸巻胴部及び前記フランジ部の少なくともいずれか一方は、前記スプール軸に実質的に垂直な断面での形状が楕円形に形成されている、請求項１又は２に記載のスピニングリールのスプール。
【請求項４】
前記糸巻胴部及び前記フランジ部の両方は、前記スプール軸に実質的に垂直な断面での形状が楕円形に、かつ互いの長軸が直交するように形成されている、請求項３に記載のスピニングリールのスプール。
【請求項５】
リール本体に対してスプール軸とともに前後移動自在なスピニングリールのスプールであって、
前記スプール軸に設けられ、外周に釣り糸が巻かれる筒状の糸巻胴部と、
前記糸巻胴部の前端部に配置され、前記糸巻胴部の外周部から全周にわたって外方に突出した外周部を有するフランジ部とを備え、
前記糸巻胴部及び前記フランジ部は前記フランジ部の前記糸巻胴部からの高さが部分的に異なる部分を有しており、
前記糸巻胴部及び前記フランジ部の両方は、前記スプール軸に実質的に垂直な断面での形状が円形に、かつ互いの中心位置が偏芯するように形成されており、
前記糸巻胴部は、前記フランジ部の高さが最も低い部分の高さ位置まで前記釣り糸が巻きつけられる、スピニングリールのスプール。
【請求項６】
前記糸巻胴部及び前記フランジ部は、互いの中心位置が一致し、前記フランジ部の高さが一定となるように相対移動可能である、請求項５に記載のスピニングリールのスプール。
【発明の詳細な説明】
【０００１】
【発明の属する技術分野】
本発明は、スプール、特に、リール本体に対して前後移動自在なスピニングリールのスプールに関する。
【０００２】
【従来の技術】
一般にスピニングリールは、ハンドルを回転自在に支持するリール本体と、ロータと、スプールとを備えている。このスプールは、リール本体に対して前後移動自在であり、釣り糸が巻かれる円筒状の糸巻胴部と、糸巻胴部の前端に配置され糸巻胴部より大径のフランジ部と、糸巻胴部の後方に一体成形されたスカート部とを有している。なおフランジ部はフランジ固定部材により糸巻胴部に固定されている。
【０００３】
この種のスプールでは、糸巻胴部はリール本体に回転自在に支持されたスプール軸に直接又はドラグ機構を介して装着されており、糸巻胴部のスプール軸に垂直な断面は円形に形成されている。そして、フランジ部のスプール軸に垂直な断面は糸巻胴部のスプール軸に垂直な断面より大径の同心円となっている。
【０００４】
【発明が解決しようとする課題】
このような従来のスプールにおいて、糸巻胴部に釣り糸を巻き付ける場合、釣人はフランジ部の外径を目安に釣り糸を巻き付けていく。そして、糸巻胴部に巻かれた釣り糸の外周部がフランジ部外径を超えないように注意しながら釣り糸を巻き付け、釣り糸外周部の径がフランジ部外径と同等になる手前で巻き付け作業を終了する。
【０００５】
しかし、このような従来のスプールへの釣り糸の巻き付け作業では、釣り糸をフランジ部の外周端部まで巻き付けてしまうことがある。このように釣り糸を外周端部まで巻き付けると、巻き付けられた釣り糸がフランジ部からこぼれ落ちる、いわゆる「バックラッシュ」が生じやすい。
【０００６】
本発明の課題は、スピニングリールのスプールにおいて、フランジ部から外方へのバックラッシュを防止することにある。
【０００７】
【課題を解決するための手段】
発明１に係るスピニングリールのスプールは、リール本体に対してスプール軸とともに前後移動自在なスピニングリールのスプールであって、スプール軸に設けられ、外周に釣り糸が巻かれる筒状の糸巻胴部と、糸巻胴部の前端部に配置され、糸巻胴部の外周部から全周にわたって外方に突出した外周部を有するフランジ部とを備え、糸巻胴部及びフランジ部はフランジ部の糸巻胴部からの高さが部分的に異なる部分を有している。フランジ部は、スプール軸に実質的に垂直な断面での形状が非円形に形成されている。糸巻胴部は、フランジ部の高さが最も低い部分の高さ位置まで釣り糸が巻きつけられる。
【０００８】
このようなスプールにおいて糸巻胴部に釣り糸を巻き付けていくと、フランジ部の高さが最も低い部分（最小位置）において、釣り糸の外周部の径とフランジ部外径とが同径になる。この状態では、フランジ部の他の部分のより高さの高い部分（最大位置）と釣り糸外周部との間には距離差が充分に残されている。したがって、釣り糸の巻き付け作業を行うときは、フランジ部の最小位置を目安に釣り糸を巻き付けていき、釣り糸外周部の高さと同じになった時点で作業を終了すればよい。
【０００９】
ここでは、釣り糸を、フランジ部から外方へのバックラッシュが起こりにくい状態で糸巻胴部に巻き付けることができる。さらに、ここでは、従来のフランジ部のスプール軸に垂直な断面での形状が円形である場合と比較して、フランジ部を任意の形状に形成できるので、糸巻胴部とフランジ部とでの高さの相違を生じやすくなる。
【００１０】
発明２に係るスピニングリールのスプールは、発明１のスピニングリールのスプールにおいて、糸巻胴部は、スプール軸に実質的に垂直な断面での形状が非円形に形成されている。
【００１１】
この場合には、従来の糸巻胴部のスプール軸に垂直な断面での形状が円形である場合と比較して、糸巻胴部を任意の形状に形成できるので、糸巻胴部とフランジ部とでの高さの相違を生じやすくなる。
【００１２】
発明３に係るスピニングリールのスプールは、発明１又は２のスピニングリールのスプールにおいて、糸巻胴部及びフランジ部の少なくともいずれか一方は、スプール軸に実質的に垂直な断面での形状が楕円形に形成されている。
【００１３】
この場合は、たとえば一方のスプール軸に垂直な断面が円形であるときは、他方のスプール軸に垂直な断面をこの円の直径と等しい短軸若しくは長軸を有する楕円形とすることにより、糸巻胴部とフランジ部とでの高さの相違を生じやすくなる。
【００１４】
発明４に係るスピニングリールのスプールは、発明３のスピニングリールのスプールにおいて、糸巻胴部及びフランジ部の両方は、スプール軸に実質的に垂直な断面での形状が楕円形に、かつ互いの長軸が直交するように形成されている。
【００１５】
この場合、糸巻胴部とフランジ部との高さが徐々に変化するように形成されているので、糸巻胴部及びフランジ部を滑らかに連続した外形にし、かつバランスよく配置することができる。
【００１６】
発明５に係るスピニングリールのスプールは、リール本体に対してスプール軸とともに前後移動自在なスピニングリールのスプールであって、スプール軸に設けられ外周に釣り糸が巻かれる筒状の糸巻胴部と、糸巻胴部の前端部に配置され糸巻胴部の外周部から全周にわたって外方に突出した外周部を有するフランジ部とを備えている。糸巻胴部及びフランジ部はフランジ部の糸巻胴部からの高さが部分的に異なる部分を有している。糸巻胴部及びフランジ部の両方は、スプール軸に実質的に垂直な断面での形状が円形に、かつ互いの中心位置が偏芯するように形成されている。糸巻胴部は、フランジ部の高さが最も低い部分の高さ位置まで釣り糸が巻きつけられる。
【００１７】
発明６に係るスピニングリールのスプールは、発明５のスピニングリールのスプールにおいて、糸巻胴部及びフランジ部は、互いの中心位置が一致し、フランジ部の高さが一定となるように相対移動可能である。
【００１８】
この場合、たとえば釣り糸放出時は同心となる位置に移動し、釣り糸を巻き取るときに偏芯させることができる。
【００１９】
【発明の実施の形態】
本発明の一実施形態を採用したスピニングリールは、図１に示すように、ハンドル１を回転自在に支持するリール本体２と、ロータ３と、スプール４とを備えている。ロータ３は、リール本体２の前部に回転自在に支持されている。スプール４は、釣り糸を外周面に巻き取るものであり、ロータ３の前部に前後移動自在に配置されている。
【００２０】
リール本体２は、リールボディ２ａと、リールボディ２ａから斜め上前方に延びる竿取付脚２ｂとを有している。リールボディ２ａは、図２に示すように内部に空間を有しており、その空間内には、ロータ３をハンドル１の回転に連動して回転させるロータ駆動機構５と、スプール４を前後に移動させて釣り糸を均一に巻き取るためのオシレーティング機構６とが設けられている。
【００２１】
ロータ駆動機構５は、ハンドル１が固定されたハンドル軸１０とともに回転するフェースギア１１と、このフェースギア１１に噛み合うピニオンギア１２とを有している。ピニオンギア１２は筒状に形成されており、その前部１２ａはロータ３の中心部を貫通しており、ナット１３によりロータ３と固定されている。ピニオンギア１２は、その軸方向の中間部と後端部とが、それぞれ軸受１４ａ、１４ｂを介してリール本体２に回転自在に支持されている。
【００２２】
オシレーティング機構６は、トラバースカム方式の機構であり、スプール４の中心部にドラグ機構６０を介して連結されたスプール軸１５を前後方向に移動させてスプール４を同方向に移動させるための機構である。オシレーティング機構６は、スプール軸１５の下方に平行に配置された螺軸２１と、螺軸２１に沿って前後方向に移動するスライダ２２と、螺軸２１の先端に固定された中間ギア２３とを有している。スライダ２２にはスプール軸１５の後端が回転不能に固定されている。中間ギア２３は、ピニオンギア１２に噛み合っている。
【００２３】
ロータ３は、図２に示すように、円筒部３０と、円筒部３０の側方に互いに対向して設けられた第１及び第２ロータアーム３１、３２とを有している。円筒部３０と両ロータアーム３１、３２とは、たとえばアルミニウム合金製であり一体成形されている。
【００２４】
円筒部３０の前部には前壁３３が形成されており、前壁３３の中央部にはボス部３３ａが形成されている。ボス部３３ａの中心部には貫通孔が形成されており、この貫通孔をピニオンギア１２の前部１２ａ及びスプール軸１５が貫通している。前壁３３の前部にナット１３が配置されており、ナット１３の内部にスプール軸１５を回転自在に支持する軸受３５が配置されている。
【００２５】
第１ロータアーム３１は、円筒部３０から外方に凸に湾曲して前方に延びており、円筒部３０との接続部は円筒部３０の周方向に広がり湾曲している。第１ロータアーム３１の先端の外周側には、第１ベール支持部材４０が揺動自在に装着されている。第１ベール支持部材４０の先端には、釣り糸をスプール４に案内するためのラインローラ４１が装着されている。
【００２６】
第２ロータアーム３２は、円筒部３０から外方に凸に湾曲して前方に延びている。第２ロータアーム３２は、先端部から円筒部３０との接続部分に向けて２股に分岐しており、円筒部３０と周方向に間隔を隔てた２箇所で接続されている。第２ロータアーム３２の先端内周側には、第２ベール支持部材４２が揺動自在に装着されている。
【００２７】
ラインローラ４１と第２ベール支持部材４２との間には線材を略Ｕ状に湾曲させた形状のベール４３が固定されている。これらの第１及び第２ベール支持部材４０、４２、ラインローラ４１及びベール４３により釣り糸をスプール４に案内するベールアーム４４が構成される。ベールアーム４４は、図２に示す糸案内姿勢とそれから反転した糸開放姿勢との間で揺動自在である。
【００２８】
ロータ３の円筒部３０の内部にはロータ３の逆転を禁止・解除するための逆転防止機構５０が配置されている。逆転防止機構５０は、図２に示すように、内輪が遊転するローラ型のワンウェイクラッチ５１と、ワンウェイクラッチ５１を作動状態（逆転禁止状態）と非作動状態（逆転許可状態）とに切り換える切換機構５２とを有している。
【００２９】
スプール４は、ロータ３の第１ロータアーム３１と第２ロータアーム３２との間に配置されており、スプール軸１５の先端にドラグ機構６０を介して装着されている。スプール４は、外周に釣り糸が巻かれる筒状の糸巻胴部７ａと糸巻胴部７ａの後部に一体で形成された大径筒状のスカート部７ｂとを有するスプール本体７と、糸巻胴部７ａの前端部７ｃに装着された大径のフランジ部８と、フランジ部８をスプール本体７に固定するためのフランジ固定部材９とを有している。
【００３０】
スプール本体７は、たとえばアルミニウム合金を鍛造成形して得られた大小２段の円筒状の部材であり、２つの軸受５６、５７によりスプール軸１５に回転自在に装着されている。
【００３１】
糸巻胴部７ａは、筒状部１６と筒状部１６の内周側に一体形成された円板部１７と円板部１７の内周側に形成された１対のボス部１８ａ、１８ｂとを有している。筒状部１６の外周面は、図３に示すように、スプール軸芯Ｘと平行なストレートな円周面１６ａと、円周面１６ａの両端から徐々に縮径する１対のテーパ面１６ｂ、１６ｂと、前側のテーパ面１６ｂの先端に形成された突起部１６ｃとで構成されている。円周面１６ａは、筒状部１６の軸方向の中心に形成され、１対のテーパ面１６ｂは、その両側に同じ軸方向長さで形成されている。筒状部１６の周面には、たとえば断面が三角形状の多数の環状溝１６ｅが軸方向に間隔を隔てて形成されている。筒状部１６の内周面には、フランジ固定部材９を装着するための雌ネジ部１６ｄが形成されている。ボス部１８ａ、１８ｂの内周部には軸受５６、５７が装着されている。突起部１６ｃは、フランジ固定部材９とでフランジ部８を挟持するために設けられている。
【００３２】
スカート部７ｂは、ロータ３の円筒部３０を覆うように筒状に糸巻胴部７ａと一体で鍛造成形されている。
【００３３】
フランジ部８は、外周に行くほど前方に傾斜し、かつその傾斜角度が７度以下になるように形成された金属製又は硬質セラミック製の傷つきにくい板状の部材である。フランジ部８の外径は、スカート部７ｂのそれとほぼ同径になるように形成されている。そしてフランジ部８は、糸巻胴部７ａの内周面の雌ネジ部１６ｄに螺合するフランジ固定部材９により糸巻胴部７ａとの間に挟持されて固定されている。
【００３４】
図４に示すように、糸巻胴部７ａの前端部７ｃのスプール軸１５に垂直な断面は円形であり、フランジ部８のスプール軸１５に垂直な断面は前端部７ｃの円形部分を包含する楕円形となっている。この楕円形部分の長軸に沿って糸巻胴部７ａの外周部からフランジ部８外周部（最大位置）までの距離Ａは、楕円形部分の短軸に沿って糸巻胴部７ａの外周部からフランジ部８外周部（最小位置)までの距離Ｂとは、楕円形部分の長短軸の差だけ異なっている。
【００３５】
このようなスプール４において釣り糸を糸巻胴部７ａに巻き付けるときは、釣り糸はフランジ部８の最小位置（糸巻胴部７ａの外周部からの距離Ｂ）まで巻き付けられ、フランジ部８の距離差Ａ−Ｂの部分には釣り糸が巻き付けられないようにすることができる。したがって、フランジ部８の距離差Ａ−Ｂの部分が壁となり、フランジ部８から外方へのバックラッシュが生じにくくなる。
【００３６】
フランジ固定部材９は、スプール本体の内周面に形成された雌ネジ部１６ｄに螺合する筒状の螺合部９ａと、螺合部９ａの内周側に一体で形成されドラグ機構６０のドラグ板（後述）６２ａ乃至６２ｅを収納可能な空間を内部に有する筒状のドラグ収納部９ｂと、螺合部９ａの先端にフランジ部８に当接可能に設けられた当接部９ｃとを有している。
【００３７】
螺合部９ａの外周面には、筒状部１６の内周面に形成された雌ネジ部１６ｄに螺合する雄ネジ部９ｄが形成されている。ドラグ収納部９ｂは、螺合部９ａの内周側に螺合部９ａと同芯に配置されており、その後端は円板部１７に近接する位置まで延びている。ドラグ収納部９ｂの内周面には、ドラグ板６２ａ乃至６２ｅを抜け止めするための、たとえば５角形に折り曲げられたバネ部材６５を装着するための環状のバネ装着溝９ｅが形成されている。バネ装着溝９ｅの後部には、ドラグ板６２ｃを回転不能に係止するための係止溝９ｆ、９ｆが軸方向に沿って１対形成されている。当接部９ｃは、螺合部９ａとドラグ収納部９ｂとを連結するとともにフランジ部８を固定するための略円板状の部材である。当接部９ｃの外周側部分は、先細り円錐形状であり、その後端面がフランジ部８に当接している。
【００３８】
ドラグ機構６０は、スプール４とスプール軸１５との間に装着されスプール４にドラグ力を作用させるための機構である。ドラグ機構６０は、ドラグ力を手で調整するためのつまみ部６１と、つまみ部６１によりスプール４側に押圧される複数枚のドラグ板６２ａ乃至６２ｅを含む摩擦部６２とを有している。つまみ部６１は、発音機構６１ａとスプール軸１５に螺合するナット６１ｂとを内部に有している。ドラグ板６２ａは、スプール軸１５に回転不能に係止され、つまみ部６１に接触する金属製の円板部材である。ドラグ板６２ｂ、６２ｄは、たとえばフェルト製の円板部材である。ドラグ板６２ｃは、外周部分に係止溝９ｆ、９ｆに係止される係止突起を有する金属製の円板部材であり、フランジ固定部材９とともに回転する。ドラグ板６２ｅは、スプール軸１５に回転不能に係止された金属製の円板部材であり、その後端部に発音機構６４が装着されている。発音機構６４は、ドラグが作動してスプール軸１５とスプール４とが相対回転すると発音する。
【００３９】
次にリールの操作及び動作について説明する。
【００４０】
キャスティング時にはベールアーム４４を糸開放姿勢に反転させる。これにより第１ベール支持部材４０及び第２ベール支持部材４２は揺動する。この状態で釣竿を握る手の人差し指で釣り糸を引っかけながら釣竿をキャスティングする。すると釣り糸は仕掛けの重さにより勢いよく放出される。仕掛けが着水した後ハンドル１を糸巻取方向に回転させると、ロータ駆動機構５によりロータ３が糸巻取方向に回転し、ベールアーム４４がベール反転機構（図示せず）により糸巻取位置に復帰しロータ３の逆転が禁止されているので釣り糸の放出が止まる。
【００４１】
釣り糸を巻き取る際には、ハンドル１を糸巻取方向に回転させる。すると、その回転がフェースギア１１、ピニオンギア１２を介してロータ３に伝達されロータ３が回転する。ロータ３が回転すると、ラインローラ４１に案内された釣り糸がスプール４に巻き取られる。ここで、スプール４に釣り糸を最初に巻き付けるときに最小位置までしか巻き付けしていないので、このとき釣り糸を最後まで巻き取ってもバックラッシュが生じにくくなる。
【００４２】
〔他の実施形態〕
（ａ）  前記実施形態では、フランジ部８のスプール軸１５に垂直な断面は楕円形に形成されていたが、図５に示すように、たとえばフランジ部８の一部に切欠きを形成して、フランジ部８のスプール軸１５に垂直な断面をフランジ部８の高さが徐々に変化するような非円形に形成してもよい。
【００４３】
（ｂ）  前記実施形態では、糸巻胴部７ａの前端部７ｃのスプール軸１５に垂直な断面は円形に形成されていたが、図６に示すように、前端部７ｃを非円形に形成してもよい。この場合は、前端部７ｃのスプール軸１５に垂直な断面は楕円形に形成されている。
【００４４】
（ｃ）  図７に示すように、フランジ部８及び糸巻胴部７ａの前端部７ｃのスプール軸１５に垂直な断面をそれぞれ楕円形に形成し、フランジ部８及び前端部７ｃの楕円形の長軸が直交するように形成してもよい。
【００４５】
（ｄ）  図８（ａ）に示すようにフランジ部８及び糸巻胴部７ａの前端部７ｃのスプール軸１５に垂直な断面をともに円形に形成し（Ａ＝Ｂ）、図８（ｂ）に示すようにフランジ部８を移動させることにより、フランジ部８の中心Ｃを偏心させることで、距離差Ａ−Ｂを出してもよい。
【００４６】
（ｅ）  糸巻胴部７ａの前端部７ｃのスプール軸１５に垂直な断面を非円形に形成したとき、図９（ａ）に示す糸巻胴部７ａの各スプール軸１５に垂直な断面は、図９（ｂ）から（ｄ）に示すように、各断面ごとに形状を変化させてもよい。この場合、糸巻胴部７ａは、前端部７ｃの楕円形の長軸が、後端部の楕円形の長軸と直交するように徐々に変化するように形成されている。
【００４７】
（ｆ）  フランジ部８及び糸巻胴部７ａの前端部７ｃのスプール軸１５に垂直な断面の両方を、楕円形、多角形等の非円形に形成してもよい。
【００４８】
（ｇ）  フランジ部８と糸巻胴部７ａの前端部７ｃとの距離差Ａ−Ｂは、少なくとも１ｍｍ以上であるように形成してもよい。
【００４９】
【発明の効果】
本発明によれば、フランジ部の高さが最も低い部分（最小位置）を目安に釣り糸を巻き付けることで、釣り糸をフランジ部外周端部まで巻き付けることが無くなるので、フランジ部から外方へのバックラッシュを防止することができる。
【図面の簡単な説明】
【図１】  本発明の一実施形態によるスピニングリールの右側面図。
【図２】  前記スピニングリールの左側面断面図。
【図３】  前記スピニングリールのスプールの拡大断面図。
【図４】  前記スプールのフランジ部及び糸巻胴部のスプール軸に垂直な断面の模式図。
【図５】  他の実施形態の図４に相当する図。
【図６】  さらに他の実施形態の図４に相当する図。
【図７】  さらに他の実施形態の図４に相当する図。
【図８】  さらに他の実施形態の図４に相当する図。
【図９】  さらに他の実施形態の図４に相当する図。
【符号の説明】
２  リール本体
４  スプール
７ａ  糸巻胴部
８  フランジ部
１５  スプール軸
【図１】
0004272295.tif 000002
【図２】
0004272295.tif 000003
【図３】
0004272295.tif 000004
【図４】
0004272295.tif 000005
【図５】
0004272295.tif 000006
【図６】
0004272295.tif 000007
【図７】
0004272295.tif 000008
【図８】
0004272295.tif 000009
【図９】
0004272295.tif 000010
0004272295.tif 000011